(57)【要約】【課題】綴じ代領域と印刷する画像領域とが重複するか否かによって、印刷する画像の縮小の有無を利用者が決定できるようにする。【解決手段】読み取り原稿の画像データを読み取る原稿搬送読取部２と、画像データを印刷する印刷手段を含む画像形成部３と、印刷完了後の記録用紙に後処理を行う後処理手段である排紙処理部５と、読み取った画像データから画像領域を特定する領域特定機能を備えた制御部５１とからなり、制御部５１は、後処理が設定されている場合には、原稿搬送読取部２により全ての原稿の画像データを読み取った後、その読み取った画像データの画像領域を領域特定機能により特定し、その特定された画像領域に基づいて綴じ代領域の設定の有無を判別する。【選択図】図３
2009017019.tif 000002
【特許請求の範囲】
【請求項１】
読み取り原稿の画像データを読み取る読取手段と、
読み取った画像データから画像領域を特定する領域特定手段と、
画像データを印刷する印刷手段と、
印刷完了後の記録用紙に後処理を行う後処理手段と、
これら各手段を制御する制御手段とを備え、
前記制御手段は、後処理が設定されている場合には、前記読取手段により全ての原稿の画像データを読み取った後、その読み取った画像データの画像領域を前記領域特定手段により特定し、その特定された画像領域に基づいて綴じ代領域の設定の有無を判別することを特徴とする画像形成装置。
【請求項２】
前記読み取り原稿が両面原稿であることを特徴とする請求項１に記載の画像形成装置。
【請求項３】
前記制御手段は、前記綴じ代領域と前記画像領域とが重複する場合には、報知手段によりその旨を報知することを特徴とする請求項１に記載の画像形成装置。
【請求項４】
前記綴じ代領域と前記画像領域とが重複する場合において、読み取った画像データの全ての頁を等倍印刷するのか否かを利用者に選択させる第１選択手段を備え、
前記制御手段は、前記第１選択手段により等倍印刷が選択された場合には画像データの全ての頁を等倍印刷することを特徴とする請求項３に記載の画像形成装置。
【請求項５】
前記綴じ代領域と前記画像領域とが重複する場合において、読み取った画像データの全ての頁を縮小印刷するのか、重複した頁のみを縮小印刷するのかを利用者に選択させる第２選択手段を備え、
前記制御手段は、前記第２選択手段の選択結果に基づいて画像データの全ての頁を縮小印刷し、または重複する頁を縮小印刷し重複しない頁を等倍印刷することを特徴とする請求項３または請求項４に記載の画像形成装置。
【請求項６】
前記縮小印刷を行った画像データの頁に縮小率を表示することを特徴とする請求項５に記載の画像形成装置。
【請求項７】
読取手段により読み取り原稿を読み取る読み取りステップと、
領域特定手段により読み取った画像データから画像領域を特定する特定ステップと、
印刷手段により画像データを印刷する印刷ステップと、
後処理装置により印刷完了後の記録用紙に後処理を行う後処理ステップと、
後処理が設定されている場合には、前記後処理ステップを行う前に、前記読み取りステップにて全ての原稿の画像データを読み取り、前記特定ステップにて読み取った画像データの画像領域を特定し、その特定した画像領域に基づいて綴じ代領域の設定の有無を判別する判別ステップと、を含むことを特徴とする画像形成方法。
【請求項８】
請求項７に記載の画像形成方法の各ステップをコンピュータに実行させるための画像形成プログラム。
【請求項９】
請求項８に記載の画像形成プログラムを記録したコンピュータ読み取り可能な記録媒体。
【発明の詳細な説明】
【技術分野】
【０００１】
本発明は、印刷完了後の記録用紙に後処理を行う後処理手段を備えた画像形成装置、画像形成方法、画像形成プログラム及び記録媒体に係り、より詳細には、印刷時に後処理が指示された場合に、綴じ代領域を確保しつつ最適な印刷処理を行う画像形成装置、画像形成方法、画像形成プログラム及び記録媒体に関する。
【背景技術】
【０００２】
後処理手段を備えた従来の画像形成装置は、印刷時にステープルまたはパンチの設定が指示された場合、綴じ代領域が確保できるように、印刷する画像データに関係なく一律に画像データを縮小して、綴じ代領域を確保するようになっている（例えば、特許文献１，２参照）。
【特許文献１】特開平１１−９９７２４号公報
【特許文献２】特開２００３−２１１７７２号公報
【発明の開示】
【発明が解決しようとする課題】
【０００３】
通常、利用者は、ステープルまたはパンチの設定を指示した場合であっても、意図的に変倍率を指示しない限り、等倍率で印刷を行うことを望んでいるものである。しかし、上記従来の画像形成装置では、印刷時にステープルまたはパンチの設定が指示された場合、利用者の意志とは関係なく、読み取られた画像データを自動的に縮小するため、利用者にとっては自動的に変倍されてしまうことによる戸惑いや不快感を覚えてしまうことがあった。すなわち、利用者にとっては、綴じ代領域と画像領域とが重複する場合にだけ、その画像データ（頁）のみまたは全画像データ（全頁）を縮小すればよいと考えていた場合や、多少の画像欠けがあっても縮小せずに全画像データ（全頁）を印刷したいと考えていた場合でも、全ての画像データ（全頁）が縮小されてしまうことになる。
【０００４】
本発明はかかる問題点を解決すべく創案されたもので、その目的は、綴じ代領域と印刷する画像領域とが重複するか否かによって、印刷する画像の縮小の要否を利用者が決定できるようにした画像形成装置、画像形成方法、画像形成プログラム及び記録媒体を提供することにある。
【課題を解決するための手段】
【０００５】
上記課題を解決するため、本発明の画像形成装置は、読み取り原稿の画像データを読み取る読取手段と、読み取った画像データから画像領域を特定する領域特定手段と、画像データを印刷する印刷手段と、印刷完了後の記録用紙に後処理を行う後処理手段と、これら各手段を制御する制御手段とを備え、前記制御手段は、後処理が設定されている場合には、前記読取手段により全ての原稿の画像データを読み取った後、その読み取った画像データの画像領域を前記領域特定手段により特定し、その特定された画像領域に基づいて綴じ代領域の設定の有無を判別することを特徴としている。
【０００６】
このような構成によれば、後処理を指定された場合、即座に縮小処理を行うことなく、全ての原稿を読み取った後に綴じ代領域の確保の有無を判別することで、綴じ代領域と原稿画像が重ならない場合には、画像データの縮小を行わないで印刷処理を行うことができる。そのため、後処理を指定した場合に不必要に原稿が縮小印刷されてしまうことで、利用者に不快感や戸惑いを与えてしまうといった不具合を防止することが可能となる。
【０００７】
この場合、制御手段は、綴じ代領域と画像領域とが重複する場合には、報知手段によりその旨を報知する構成としてもよい。このように、綴じ代領域と画像領域とが重複する場合に、自動的に縮小印刷を行うのではなく、重複部分があることをまず利用者に報知することで、利用者は、その時点で縮小印刷を行うのか、他の方法による印刷（例えば、等倍印刷等）を行うのかを選択することができる。
【０００８】
すなわち、綴じ代領域と画像領域とが重複する場合において、読み取った画像データの全ての頁を等倍印刷するのか否かを利用者に選択させる第１選択手段を備え、制御手段は、第１選択手段により等倍印刷が選択された場合には画像データの全ての頁を等倍印刷するように構成してもよい。
【０００９】
これにより、綴じ代領域と画像領域とが重複する場合であっても、多少の重複はかまわないと利用者が判断した場合には、その利用者の意思によって、画像データの全ての頁を等倍印刷することができる。
【００１０】
また、綴じ代領域と画像領域とが重複する場合において、読み取った画像データの全ての頁を縮小印刷するのか、重複した頁のみを縮小印刷するのかを利用者に選択させる第２選択手段を備え、制御手段は、第２選択手段の選択結果に基づいて画像データの全ての頁を縮小印刷し、または重複する頁を縮小印刷し重複しない頁を等倍印刷するように構成してもよい。
【００１１】
これにより、綴じ代領域と画像領域とが重複する頁の画像データのみを縮小印刷し、それ以外の頁の画像データを等倍印刷（１００％の印刷）とすることも可能となる。この場合、縮小印刷を行った画像データの頁（記録用紙）に縮小率を表示する構成とすることで、利用者は、その頁の画像データがどの程度に縮小されているのかを知ることができる。従って、例えばその頁だけ縮小倍率を手動設定によって変更して印刷するときに、表示された縮小倍率を参考にして、より的確な縮小倍率を設定することが可能となる。
【００１２】
また、本発明の画像形成方法は、読取手段により読み取り原稿を読み取る読み取りステップと、領域特定手段により読み取った画像データから画像領域を特定する特定ステップと、印刷手段により画像データを印刷する印刷ステップと、後処理装置により印刷完了後の記録用紙に後処理を行う後処理ステップと、後処理が設定されている場合には、前記後処理ステップを行う前に、前記読み取りステップにて全ての原稿の画像データを読み取り、前記特定ステップにて読み取った画像データの画像領域を特定し、その特定した画像領域に基づいて綴じ代領域の設定の有無を判別する判別ステップと、を含むことを特徴としている。
【００１３】
このような構成によれば、後処理を指定された原稿であっても、即座に縮小処理を行うことなく、全ての原稿を読み取った後に綴じ代領域の確保の有無を判別することで、綴じ代領域と原稿画像が重ならない場合には、画像データの縮小を行わないで印刷処理を行うことができる。そのため、後処理を指定した場合に不必要に原稿が縮小印刷されてしまうことで、利用者に不快感や戸惑いを与えてしまうといった不具合を防止することが可能となる。
【００１４】
また、上記の画像形成方法は、その各ステップをコンピュータに実行させるための画像形成プログラムとして実現することが可能であり、この画像形成プログラムは、コンピュータ読み取り可能な記録媒体に記録して提供することが可能である。
【発明の効果】
【００１５】
本発明によれば、後処理が指定された場合に、全ての原稿の画像データを読み取った後に綴じ代領域の確保の有無を判別し、その判別結果に基づいてその後の印刷処理を行う構成としたので、綴じ代領域と画像データ領域とが重ならない場合には、画像データの縮小を行わないで印刷処理を行うことができる。そのため、後処理を指定した場合に不必要に原稿が縮小印刷されてしまうことで、利用者に不快感や戸惑いを与えてしまうといった不具合を防止することができる。
【発明を実施するための最良の形態】
【００１６】
以下、本発明の実施の形態について、図面を参照して説明する。
【００１７】
図１及び図２は、本発明の画像形成装置の一実施形態であるデジタル複合機の外観図及び概略断面図である。まず、この図１及び図２を参照して本実施形態のデジタル複合機について説明する。
【００１８】
このデジタル複合機１は、原稿の画像を読取って記録用紙に印刷する複写モード、原稿の画像を読取って送信したり、原稿の画像を受信して記録用紙に印刷したりするファクシミリモード、及び情報端末装置からネットワークを通じて受信した画像を記録用紙に印刷するプリンタモード等を選択的に行うことができるようになっており、その構成を大別すると、原稿搬送読取部２、画像形成部３、給紙部４、排紙処理部５、及びＵＳＢインターフェース７から構成されている。
【００１９】
次に、上記の複写モードを例に挙げて、原稿搬送読取部２、画像形成部３、給紙部４、及び排紙処理部５の各構成とともにその動作を説明する。
【００２０】
まず、原稿を原稿搬送読取部２の原稿セットトレイ１１にセットすると、原稿検知センサ１２が原稿をセットされたことを検知する。そして、利用者が原稿搬送読取部２の操作パネル１８を操作することにより、印刷用紙のサイズ及び変倍率等を入力設定する。その後、操作パネル１８の操作により複写の開始を指示する。
【００２１】
これらの操作に応答して原稿搬送読取部２では、ピックアップローラ１３により原稿セットトレイ１１上の各原稿を１枚ずつ引き出し、引き出した原稿をサバキ板１４と搬送ローラ１５との間を通してプラテンガラス１６へと送り出し、原稿をプラテンガラス１６上で副走査方向（図２中、左方向）に搬送して原稿排出トレイ１７へと排出する。
【００２２】
このとき、第１読取り部２１によって原稿の表面（下側面）を読取る。すなわち、第１読取り部２１の第１走査ユニット２３をホームポジションに移動（図２に示す位置に移動）して位置決めする。そして、第２走査ユニット２４を所定位置に位置決めしておき、第１走査ユニット２３の露光ランプにより原稿の表面をプラテンガラス１６を介して照射し、原稿の反射光を第１及び第２走行ユニット２３，２４の各反射ミラーにより結像レンズ２６へと導き、原稿の反射光を結像レンズ２６によりＣＣＤ（Charge  Coupled  Device）２７に集光させ、原稿の表面の画像をＣＣＤ２７上に結像させる。これにより、原稿の表面の画像を読取る。
【００２３】
また、第２読取り部２２によって原稿の裏面（上側面）を読取る。第２読取り部２２は、プラテンガラス１６の上方に配置されており、図示は省略しているが、原稿の裏面を照射する露光ランプ（ＬＥＤ（Light Emitting Diode）アレイ、蛍光灯等）、画素毎に原稿の反射光を集光するセルフォックレンズアレイ、及びセルフォックレンズアレイを通じて受光した原稿の反射光を光電変換して、アナログの画像信号を出力する密着イメージセンサ（ＣＩＳ；Contact Image Sensor）等を備えている。
【００２４】
一方、原稿搬送読取部２の上部筐体を開いて、プラテンガラス１６上に原稿を載置し、この状態で第１読取り部２１により原稿の表面を読取ることが可能である。この場合は、第１及び第２走査ユニット２３，２４を相互に所定の速度関係を維持しつつ副走査方向（図２中、右方向）に移動させ、第１走査ユニット２３によってプラテンガラス１６上の原稿を露光し、第１及び第２走査ユニット２３，２４によって原稿からの反射光を結像レンズ２６へと導き、結像レンズ２６によって原稿の画像をＣＣＤ２７上に結像する。
【００２５】
こうして原稿の片面もしくは両面が読取られると、原稿の片面もしくは両面の画像を示す画像データが制御部５１（図３に示す）に入力され、ここで画像データに各種の画像処理が施され、この画像データが画像形成部３へと出力される。
【００２６】
画像形成部３は、画像データによって示される原稿の画像を記録用紙に印刷するものであって、感光体ドラム３１、帯電装置３２、レーザスキャンユニット（以下ＬＳＵと称する）３３、現像装置３４、転写装置３５、クリーニング装置３６、除電装置（図示せず）、及び定着装置３７等を備えている。
【００２７】
また、画像形成部３には、主搬送路３８及び反転搬送路３９が設けられており、給紙部４から給紙されてきた記録用紙が主搬送路３８に沿って搬送される。給紙部４は、用紙カセット４１に収納された記録用紙、または手差トレイ４２に載置された記録用紙を１枚ずつ引き出し、引き出した記録用紙を画像形成部３の主搬送路３８へと送り出す。
【００２８】
画像形成部３の主搬送路３８に沿って記録用紙が搬送されている途中で、記録用紙が感光体ドラム３１と転写装置３５との間を通過し、さらに定着装置３７を通過して、記録用紙に対する印刷が行われる。
【００２９】
感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取り部２からの画像データに基づいてレーザ光を変調し、このレーザ光によって感光体ドラム３１表面を主走査方向（図２中、紙面に垂直な方向）に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、該転写装置３５と感光体ドラム３１との間を通過して行く記録用紙に感光体ドラム３１表面のトナー像を転写する。定着装置３７は、記録用紙を加熱及び加圧して、記録用紙上のトナー像を定着させる。
【００３０】
主搬送路３８と反転搬送路３９との接続位置には、分岐爪４３が配設されている。記録用紙の片面だけに印刷が行われる場合は、図２に示す位置に分岐爪４３が位置決めされ、この分岐爪４３により定着装置３７からの記録用紙が排紙トレイ４４または排紙処理部５の方へと導かれる。
【００３１】
また、記録用紙の両面に印刷が行われる場合は、分岐爪４３が回転移動（図２において、右方向に略９０度回転）されて、記録用紙が反転搬送路３９の方へと導かれる。反転搬送路３９へ導かれた記録用紙は、この反転搬送路３９を通過してその表裏が反転された後、主搬送路３８へと再び搬送され、主搬送路３８の再度の搬送途中で、その裏面への印刷が行われて、排紙トレイ４４または排紙処理部５の方へと導かれる。すなわち、排紙トレイ４４か排紙処理部５の各排紙トレイ５ａのいずれかに排出される。
【００３２】
排紙処理部５は、複数の記録用紙を各排紙トレイ５ａに仕分けして排出する。また、各記録用紙にパンチング処理を施したり、各記録用紙にステープル処理を施す後処理装置を備えている。例えば、複数部の印刷物を作成する場合は、各排紙トレイ５ａに印刷物の一部ずつが割り当てられるように各記録用紙を各排紙トレイ５ａに仕分けして排出し、排紙トレイ５ａ毎に、排紙トレイ５ａ上の各記録用紙にパンチング処理やステープル処理を施して、印刷物を作成する。このような排紙処理部５での後処理も制御部５１によって制御される。以上が、複写モードの処理動作の説明である。
【００３３】
図３は、上記構成のデジタル複合機１における制御系の構成を示すブロック図である。以下、図３を参照して制御系の構成を説明する。
【００３４】
マイクロコンピュータ等からなる制御部５１は、原稿搬送読取部２、画像形成部３、給紙部４、及び排紙処理部５などのデジタル複合機１を構成する各駆動機構部をシーケンス制御により管理する。この制御部５１には、操作パネル１８が相互通信可能な状態に接続されており、その操作パネル１８の操作により、利用者が設定入力した印刷処理条件に従って、デジタル複合機１を動作させるようになっている。操作パネル１８は、液晶等の表示パネルの上面に透明なタッチパネルが配置された構造となっており、操作パネル１８に表示された各種機能ボタンをタッチすることで、その機能ボタンに対応した操作信号が制御部５１に入力されるようになっている。
【００３５】
また、制御部５１には、メモリ５２やＵＳＢインターフェース７、及び画像データ通信ユニット５３が接続されている。メモリ５２には、デジタル複合機１を構成する各駆動機構部を制御するのに必要な各種制御情報が記憶されている。また、ＵＳＢインターフェース７には、外部メモリであるＵＳＢメモリ１００が着脱可能となっている。画像データ通信ユニット５３は、画像情報や画像制御信号などを、他の情報端末装置との間で通信可能とするために設けられた通信ユニットである。
【００３６】
制御部５１は、操作パネル１８の操作により利用者が設定入力した印刷処理条件に従って印刷処理制御を行うのであるが、このとき、ステープルやパンチ等の後処理が設定されている場合には、原稿搬送読取部２により全ての原稿の画像データを読み取った後、その読み取った画像データの画像領域を特定し、その特定した画像領域に基づいて綴じ代領域の設定の有無を判別し、その判別結果に基づいて、その後の印刷処理を制御するようになっている。すなわち、請求項に記載の領域特定手段及び制御手段は、本実施形態では制御部５１によって実現されている。
【００３７】
図４は、ステープルによる後処理の状態を示すものであり、記録用紙の左上（同図（ａ））、上部（同図（ｂ））、及び左側面（同図（ｃ））にステープルを設定することが可能である。また、図５は、パンチによる後処理の状態を示すものであり、記録用紙の左側面（同図（ａ））、及び上部（同図（ｂ））にパンチを設定することが可能である。なお、左側面のパンチは、２穴、４穴または８穴が選択可能となっている。
【００３８】
このように、ステープルやパンチ等の後処理を行うためには、図４及び図５中に斜線を付して示すような綴じ代領域６１を確保する必要がある。そのため、通常は、読み取った画像データを記録用紙に印刷するとき、画像データがこの綴じ代領域６１に存在しないように適当な縮小処理を行って、印刷を行うことになる。この場合、従来のデジタル複写機では、ステープルやパンチ等の後処理が設定された場合には、無条件で画像データを縮小処理して印刷していたが、本発明では、このときの印刷処理に特徴を有している。
【００３９】
以下、印刷時に後処理が設定された場合の印刷処理制御動作について、図６に示すフローチャートを参照して説明する。
【００４０】
コピーが行われる前には、利用者によって排紙処理部５によるステープルやパンチの位置や数が設定される（ステップＳ１）。
【００４１】
排紙処理部５が設定された場合には、原稿搬送読取部２にセットされた原稿の全てを読み取り（ステップＳ２，Ｓ３）、読み取られた画像データから、設定された綴じ代領域６１に画像データが存在するか否かを確認する（ステップＳ４）。確認の結果、綴じ代領域６１に画像データが存在する場合（すなわち、綴じ代領域に画像データ領域が一部重複する場合）には、全ての画像データを一律に縮小し、綴じ代領域に画像データが存在しないように設定することも可能であるが、縮小による印刷を好ましく思わない利用者もいることから、本実施形態では、画像データを縮小することによる綴じ代領域６１の確保が必要な場合（ステップＳ４でＹｅｓと判断された場合）には、その前に利用者に報知を行う（ステップＳ５）。この報知は、操作パネル１８にメッセージを表示することで行うことができる。ただし、ブザー音による報知等も可能である。
【００４２】
図７は、操作パネル１８にメッセージを表示した場合の表示内容の一例を示している。
【００４３】
この例では、「綴じ代領域に画像データ領域が重複する頁があります。」といった簡単なメッセージから、「綴じ代領域に画像データ領域の重複する頁が全部でＸ頁あります。」若しくは、「何頁と何頁の画像データが綴じ代領域と重複します。」といったより具体的な頁数を表示することも可能である。この場合、このメッセージの下に、「等倍」ボタン、「一部縮小」ボタン、「全縮小」ボタンを表示して、印刷形態を利用者に選択させるようにする。
【００４４】
この報知を確認した利用者が、多少の重複はあってもかまわないと判断した場合には、操作パネル１８に表示されている「等倍」ボタンにタッチする（ステップＳ６でＹｅｓと判断）。これにより、制御部５１は、読み取った原稿の全ての画像データを等倍で印刷する処理を行う（ステップＳ８）。
【００４５】
一方、この報知を確認した利用者が、重複している一部の画像データのみを縮小印刷し、他の画像データは等倍印刷したいと判断した場合には、操作パネル１８に表示されている「一部縮小」ボタンにタッチする（ステップＳ７でＹｅｓと判断）。これにより、制御部５１は、読み取った原稿のうち、重複している一部の画像データのみを縮小印刷し、他の画像データは等倍印刷する処理を行う（ステップＳ９）。この場合の縮小率は、画像データの重複部分が綴じ代領域から外れる程度の倍率であり、制御部５１で自動的に判断される。また、縮小印刷を行った場合には、その頁の隅（例えば右上隅、若しくは右下隅等）に縮小率を表示してもよい。これにより、利用者は、縮小された画像データがどの程度縮小されているのかを、表示されている縮小率の数値を確認することで認識することができる。
【００４６】
一方、この報知を確認した利用者が、画像データのサイズの整合性を優先したいと判断した場合には、操作パネル１８に表示されている「全縮小」ボタンにタッチする（ステップＳ７でＮｏと判断）。これにより、制御部５１は、読み取った原稿の全ての画像データをを縮小印刷する処理を行う（ステップＳ１０）。この場合の縮小率は、画像データの重複部分が綴じ代領域から外れる程度の倍率であり、制御部５１で自動的に判断される。また、縮小印刷を行った場合には、全頁の隅（例えば右上隅、若しくは右下隅等）に、若しくは１頁目のみに縮小率を表示してもよい。これにより、利用者は、縮小された画像データがどの程度縮小されているのかを、表示されている縮小率の数値を確認することで認識することができる。
【００４７】
なお、ステップＳ４での確認の結果、綴じ代領域６１に画像データが存在しない場合（すなわち、綴じ代領域に画像データ領域が重複しない場合）には、ステップＳ８へと処理を進め、制御部５１は、読み取った原稿の全ての画像データを等倍で印刷する処理を行う。
【００４８】
以上の制御により、綴じ代を設定した場合であっても、一律に縮小印刷が行われることなく、利用者の所望する範囲で、等倍印刷または縮小印刷を選択することが可能となる。また、縮小印刷を行った場合に、その縮小率も表示することで、複写機の知識の少ない利用者にとっても、利便性に優れた綴じ代設定が可能となる。
【００４９】
なお、上記した図６に示す処理フローを実施するためのプログラムは、コンピュータ読み取り可能な記録媒体に格納されている。本実施形態ではこのプログラムはメモリ５２に格納されているが、このような記録媒体の一例としては、マイクロコンピュータで処理を行うためのメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【００５０】
また、何れの場合でも、格納されているプログラムは、マイクロコンピュータがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００５１】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ、ＥＥＰＲＯＭ、フラッシュＲＯＭ等による半導体メモリを含めた固定的にプログラムを担持する記録媒体等がある。
【００５２】
また、インターネットを含む通信ネットワークを接続可能なシステム構成であれば、通信ネットワークからプログラムをダウンロードするように流動的にプログラムを担持する記録媒体であることが好ましい。
【００５３】
さらに、このように通信ネットワークからプログラムをダウンロードする場合には、そのダウンロード用のプログラムは予め本体装置に格納しておくか、あるいは別な記録媒体からインストールされるものであることが好ましい。
【図面の簡単な説明】
【００５４】
【図１】本発明の画像形成装置の一実施形態であるデジタル複合機の外観図である。
【図２】本発明の画像形成装置の一実施形態であるデジタル複合機の概略断面図である。
【図３】デジタル複合機における制御系の構成を示すブロック図である。
【図４】ステープルによる後処理の状態を示す説明図である。
【図５】パンチによる後処理の状態を示す説明図である。
【図６】印刷時に後処理が設定された場合の印刷処理制御動作を説明するためのフローチャートである。
【図７】操作パネルへのメッセージの表示例を示す説明図である。
【符号の説明】
【００５５】
１  デジタル複合機
２  原稿搬送読取部
３  画像形成部（印刷手段を含む）
４  給紙部
５  排紙処理部（後処理手段）
５ａ  排紙トレイ
７  ＵＳＢインターフェース
１１  原稿セットトレイ
１２  原稿検知センサ
１８  操作パネル
１３  ピックアップローラ
１４  サバキ板
１５  搬送ローラ
１６  プラテンガラス
１７  原稿排出トレイ
２１  第１読取り部
２３  第１走査ユニット
２４  第２走査ユニット
２６  結像レンズ
２７  ＣＣＤ
３１  感光体ドラム
３２  帯電装置
３３  レーザスキャンユニット
３４  現像装置
３５  転写装置
３６  クリーニング装置
３７  定着装置
３８  主搬送路
３９  反転搬送路
４１  用紙カセット
４２  手差トレイ
４３  分岐爪
４４  排紙トレイ
５１  制御部（領域特定手段，制御手段）
５２  メモリ
５３  画像データ通信ユニット
【図１】
2009017019.tif 000003
【図２】
2009017019.tif 000004
【図３】
2009017019.tif 000005
【図４】
2009017019.tif 000006
【図５】
2009017019.tif 000007
【図６】
2009017019.tif 000008
【図７】
2009017019.tif 000009